【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体の表面を帯電する帯電手段と、
前記像担持体の表面に現像されたトナー像を記録材に転写する転写部材であって、前記像担持体と接触してニップ部を形成し前記ニップ部によって記録材を挟み込む転写部材と、
前記帯電手段に、第１の帯電バイアスと、前記第１の帯電バイアスと同極性で前記第１の帯電バイアスよりも絶対値が小さい第２の帯電バイアスと、前記第２の帯電バイアスの絶対値以上の大きさを有する第３の帯電バイアスと、を印加する帯電電圧印加手段と、
前記転写部材に、第１の転写バイアスと、０Ｖまたは前記第１の転写バイアスと同極性で前記第１の転写バイアスよりも絶対値が小さい第２の転写バイアスと、前記第１の転写バイアスと前記第２の転写バイアスの間の大きさを有する第３の転写バイアスと、を印加する転写電圧印加手段と、
前記帯電電圧印加手段と前記転写電圧印加手段と、を制御する制御部と、を有し、
前記制御部は、
ｉ）前記ニップ部に記録材の先端が突入する前には、前記転写部材に前記第２の転写バイアスを印加し、かつ、前記第３の帯電バイアスが印加された前記像担持体の表面が前記ニップ部を通過するように制御し、
ｉｉ）前記ニップ部内に記録材の先端があり、前記ニップ部において記録材に前記トナー像を転写する転写動作を実行する前において、前記転写部材に前記第１の転写バイアスまたは前記第２の転写バイアスまたは前記第３の転写バイアスを印加し、かつ、前記第２の帯電バイアスが印加された前記像担持体の表面が前記ニップ部を通過するように制御し、
ｉｉｉ）前記転写動作を実行する間において、前記転写部材に前記第１の転写バイアスを印加し、かつ、前記第１の帯電バイアスが印加された前記像担持体の表面が前記ニップ部を通過するように制御する、
ことを特徴とする画像形成装置。
【請求項２】
前記ニップ部内に記録材の先端がある時、前記ニップ部内で前記像担持体の表面と前記転写部材の表面と記録材の先端によって空隙が形成されることを特徴とする請求項１に記載の画像形成装置。
【請求項３】
前記帯電電圧印加手段によって前記帯電手段に前記第２の帯電バイアスが印加されて電位を形成した且つ前記ニップ部で前記空隙を形成した前記像担持体の表面が、前記ニップ部を通過した後、再度、前記ニップ部を通過する前に、前記帯電電圧印加手段によって前記第１の帯電バイアスが印加された前記帯電手段によって帯電されることを特徴とする請求項２に記載の画像形成装置。
【請求項４】
前記空隙が形成される前に、前記制御部によって前記転写電圧印加手段により前記転写部材に印加する転写バイアスを前記第２の転写バイアスから前記第３の転写バイアスに切り替える際に、前記転写バイアスを連続的に変化させることを特徴とする請求項２又は３に記載の画像形成装置。
【請求項５】
前記空隙が形成される前に、前記制御部によって前記転写電圧印加手段により前記転写部材に印加する転写バイアスを前記第２の転写バイアスから前記第３の転写バイアスに切り替える際に、前記転写バイアスをステップ状に変化させることを特徴とする請求項２又は３に記載の画像形成装置。
【請求項６】
記録材の先端余白部の後端が前記ニップ部を通過するまでに、前記第３の転写バイアスから前記第１の転写バイアスへの切り替えを行う事を特徴とする請求項１乃至５のいずれか一項に記載の画像形成装置。
【請求項７】
記録材の先端位置を検出するセンサを有し、
前記制御部は、前記センサで記録材の先端位置を検出したタイミングに基づいて、前記転写電圧印加手段により前記転写部材に印加する転写バイアスと前記帯電電圧印加手段により前記帯電手段に印加する帯電バイアスと、を切り替えるタイミングを制御する事を特徴とする請求項１乃至６のいずれか一項に記載の画像形成装置。
【請求項８】
前記制御部は、前記像担持体の回転軸に直交した方向の記録材の先端余白部の長さと前記像担持体の回転速度と、に基づいて、前記転写バイアスと前記帯電バイアスを切り替えるタイミングを制御する事を特徴とする請求項７に記載の画像形成装置。
【請求項９】
前記制御部は、前記転写部材の抵抗特性に基づいて、前記転写バイアスの切り替えタイミングを制御する事を特徴とする請求項７又は８に記載の画像形成装置。
【請求項１０】
前記第１の転写バイアスをＴ１（Ｖ）、前記第２の転写バイアスをＴ２（Ｖ）、前記第３の転写バイアスをＴ３（Ｖ）とした時、
０．１４≦（Ｔ３―Ｔ２）／（Ｔ１−Ｔ２）≦０．７１
を満たす事を特徴とする請求項１乃至９のいずれか一項に記載の画像形成装置。
【請求項１１】
前記第１の帯電バイアスをＶ１（Ｖ）、前記第２の帯電バイアスをＶ２（Ｖ）、前記第３の帯電バイアスをＶ３（Ｖ）とした時、
｜Ｖ２｜≦｜Ｖ３｜＜｜Ｖ１｜
を満たす事を特徴とする請求項１乃至１０のいずれか一項に記載の画像形成装置。
【請求項１２】
前記帯電手段は、前記像担持体と接触し、直流電圧からなる帯電バイアスを供給されることを特徴とする請求項１乃至１１のいずれか一項に記載の画像形成装置。
【請求項１３】
前記帯電手段は、コロナ放電によって前記像担持体の表面を帯電する事を特徴とする請求項１乃至１２のいずれか一項に記載の画像形成装置。
【請求項１４】
前記帯電電圧印加手段によって印加される帯電バイアスは、交流電圧を含む事を特徴とする請求項１乃至１３のいずれか一項に記載の画像形成装置。
【請求項１５】
前記転写部材は、前記像担持体へ圧接する部分が弾性を有する、ローラ状の部材で構成されることを特徴とする請求項１乃至１４のいずれか一項に記載の画像形成装置。
【請求項１６】
前記転写部材は、回転可能なベルト状の部材であることを特徴とする請求項１乃至１５のいずれか一項に記載の画像形成装置。
【請求項１７】
前記制御部は、前記第２の転写バイアスの値に応じて、前記第１の帯電バイアスと前記第２の帯電バイアスとの差を変更するように制御する事を特徴とする請求項１乃至１６のいずれか一項に記載の画像形成装置。
【請求項１８】
前記第２の帯電バイアスは、前記像担持体の表面にかぶりが発生しない帯電バイアスである事を特徴とする請求項１７に記載の画像形成装置。
【請求項１９】
前記第３の転写バイアスをＴ３（Ｖ）、前記第１の帯電バイアスと前記第２の帯電バイアスとの差をΔＶ（Ｖ）とした時、
１２００Ｖ≦Ｔ３≦１８００Ｖ、２５Ｖ≦ΔＶ≦７５Ｖ
を満たす事を特徴とする請求項１乃至１８のいずれか一項に記載の画像形成装置。
【請求項２０】
回転可能な像担持体と、
前記像担持体の表面を帯電する帯電手段と、
前記像担持体の表面に現像されたトナー像を記録材に転写する転写部材であって、前記像担持体と接触してニップ部を形成し前記ニップ部によって記録材を挟み込む転写部材と、
前記帯電手段に、第１の帯電バイアスと、前記第１の帯電バイアスと同極性で前記第１の帯電バイアスよりも絶対値が小さい第２の帯電バイアスと、前記第２の帯電バイアスの絶対値以上の大きさを有する第３の帯電バイアスと、を印加する帯電電圧印加手段と、
前記帯電電圧印加手段を制御する制御部と、を有し、
前記制御部は、
ｉ）前記ニップ部に記録材の先端が突入する前には、前記第３の帯電バイアスが印加された前記像担持体の表面が前記ニップ部を通過するように制御し、
ｉｉ）前記ニップ部内に記録材の先端があり、前記ニップ部において記録材に前記トナー像を転写する転写動作を実行する前において、前記第２の帯電バイアスが印加された前記像担持体の表面が前記ニップ部を通過するように制御し、
ｉｉｉ）前記転写動作を実行する間において、前記第１の帯電バイアスを印加された前記像担持体の表面が前記ニップ部を通過するように制御する、
ことを特徴とする画像形成装置。
【請求項２１】
前記ニップ部内に記録材の先端がある時、前記ニップ部内で前記像担持体の表面と前記転写部材の表面と記録材の先端によって空隙が形成されることを特徴とする請求項２０に記載の画像形成装置。
【請求項２２】
前記帯電電圧印加手段によって前記帯電手段に前記第２の帯電バイアスが印加されて電位を形成した且つ前記ニップ部で前記空隙を形成した前記像担持体の表面が、前記ニップ部を通過した後、再度、前記ニップ部を通過する前に、前記帯電電圧印加手段によって前記第１の帯電バイアスが印加された前記帯電手段によって帯電されることを特徴とする請求項２１に記載の画像形成装置。
【請求項２３】
前記第１の帯電バイアスをＶ１（Ｖ）、前記第２の帯電バイアスをＶ２（Ｖ）、前記第３の帯電バイアスをＶ３（Ｖ）とした時、
｜Ｖ２｜≦｜Ｖ３｜＜｜Ｖ１｜
を満たす事を特徴とする請求項２０乃至２２のいずれか一項に記載の画像形成装置。
【手続補正２】
【補正対象書類名】明細書
【補正対象項目名】０００９
【補正方法】変更
【補正の内容】
【０００９】
この目的を達成するため、本発明の画像形成装置は、回転可能な像担持体と、前記像担持体の表面を帯電する帯電手段と、前記像担持体の表面に現像されたトナー像を記録材に転写する転写部材であって、前記像担持体と接触してニップ部を形成し前記ニップ部によって記録材を挟み込む転写部材と、前記帯電手段に、第１の帯電バイアスと、前記第１の帯電バイアスと同極性で前記第１の帯電バイアスよりも絶対値が小さい第２の帯電バイアスと、前記第２の帯電バイアスの絶対値以上の大きさを有する第３の帯電バイアスと、を印加する帯電電圧印加手段と、前記転写部材に、第１の転写バイアスと、０Ｖまたは前記第１の転写バイアスと同極性で前記第１の転写バイアスよりも絶対値が小さい第２の転写バイアスと、前記第１の転写バイアスと前記第２の転写バイアスの間の大きさを有する第３の転写バイアスと、を印加する転写電圧印加手段と、前記帯電電圧印加手段と前記転写電圧印加手段と、を制御する制御部と、を有し、
前記制御部は、
ｉ）前記ニップ部に記録材の先端が突入する前には、前記転写部材に前記第２の転写バイアスを印加し、かつ、前記第３の帯電バイアスが印加された前記像担持体の表面が前記ニップ部を通過するように制御し、
ｉｉ）前記ニップ部内に記録材の先端があり、前記ニップ部において記録材に前記トナー像を転写する転写動作を実行する前において、前記転写部材に前記第１の転写バイアスまたは前記第２の転写バイアスまたは前記第３の転写バイアスを印加し、かつ、前記第２の帯電バイアスが印加された前記像担持体の表面が前記ニップ部を通過するように制御し、
ｉｉｉ）前記転写動作を実行する間において、前記転写部材に前記第１の転写バイアスを印加し、かつ、前記第１の帯電バイアスが印加された前記像担持体の表面が前記ニップ部を通過するように制御することを特徴とする。